【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
所定の表示形態からなる番組表データを記憶する記憶手段と、
前記記憶手段から読み出した番組表データの表示形態を表示形態変更指示に応じて変更する表示形態変更処理手段と、
前記表示形態変更処理手段によって変更された表示形態に基づいて番組表データを作成して所定の表示手段に出力する番組表作成手段と、
時間枠内の番組数と時間枠内の表示行数を比較する第１の表示数比較手段と
を有し、
前記表示形態変更処理手段は、
前記第１の表示数比較手段により、時間枠内の番組数が時間枠内の表示行数より小さいと判断された場合、時間枠内の各番組の表示行数を時間比例に基づいて算出し、より時間比例の大きい番組順に表示行数を配分し、
前記第１の表示数比較手段により、時間枠内の番組数が時間枠内の表示行数と等しいと判断された場合、各番組に対して最小単位の表示行数を配分し、
前記第１の表示数比較手段により、時間枠内の番組数が時間枠内の表示行数より大きいと判断された場合、表示されない番組が存在することを示す識別子を表示するとともに、より時間比例の大きい番組順に最小単位で残りの表示行数を配分する
ことを特徴とする番組表示制御装置。
【請求項２】
時間枠内の番組数と時間枠内の最大表示行数を比較する第２の表示数比較手段をさらに有し、
前記表示形態変更処理手段は、時間枠内の番組数が時間枠内の最大表示行数より大きい場合、表示されない番組が存在することを示す識別子を表示する
ことを特徴とする請求項１に記載の番組表示制御装置。
【請求項３】
前記表示形態変更処理手段は、複数の受信チャンネルにおいてイベント共有番組がある場合には、その複数の受信チャンネルの番組表示にまたがってイベント共有番組を表示する表示形態に変更することを特徴とする請求項１に記載の番組表示制御装置。
【請求項４】
前記表示形態変更処理手段は、複数の受信チャンネルにおいてイベント共有番組の時間枠内で時間枠が互いに重複していない場合には、その複数の受信チャンネルの番組表示にまたがってそのイベント共有番組を最小単位の表示行数で表示する表示形態に変更する
ことを特徴とする請求項３に記載の番組表示制御装置。
【請求項５】
前記表示形態変更処理手段は、番組のジャンルを識別する複数種類のジャンル情報に対して表示形態変更指示に応じて優先順位を指定し、ある番組に属しているジャンル情報が複数種類含まれる場合には、指定した優先順位に従ってその番組に対応する１つの種類のジャンル情報を選択し、優先順位に基づいてジャンルが表示される表示形態に変更する
ことを特徴とする請求項１に記載の番組表示制御装置。
【請求項６】
前記表示形態変更処理手段は、前記表示形態変更指示によるジャンル情報および背景表示形態に応じて優先順位を指定し、その優先順位に基づいてジャンル情報および背景表示形態が表示される表示形態に変更する
ことを特徴とする請求項１に記載の番組表示制御装置。
【請求項７】
前記記憶手段は、第１の番組表データを記憶する第１の記憶手段および第１の番組表データとはデータ構成の異なる第２の番組表データを記憶する第２の記憶手段を有し、
前記表示形態変更処理手段は、前記第１の記憶手段および前記第２の記憶手段にそれぞれ記憶された前記第１の番組表データおよび前記第２の番組表データを同一の画面に同時に表示する表示形態に変更する
ことを特徴とする請求項１に記載の番組表示制御装置。
【請求項８】
前記記憶手段は、衛星放送の番組表データを記憶する第１の記憶手段並びに地上波放送および／またはＷＥＢ上の番組表データを記憶する第２の記憶手段を有し、
前記表示形態変更処理手段は、前記第１および第２の記憶手段にそれぞれ記憶された衛星放送並びに地上波放送および／またはＷＥＢ上の番組表データを同一の画面に同時に表示する表示形態に変更する
ことを特徴とする請求項１に記載の番組表示制御装置。
【請求項９】
前記表示形態変更処理手段は、衛星放送並びに地上波放送および／またはＷＥＢ上の番組同士が同一のジャンルでかつそれぞれが異なるジャンル表示形態である場合には同一のジャンル表示形態に変更する
ことを特徴とする請求項８に記載の番組表示制御装置。
【請求項１０】
前記表示形態変更処理手段は、表示中の番組表において任意の番組に対して拡大指示が行われた場合には、その番組の番組表示を拡大する表示形態に変更する
ことを特徴とする請求項１に記載の番組表示制御装置。
【請求項１１】
前記表示形態変更処理手段は、前記拡大指示が行われた場合には、現在の拡大段階が最大拡大段階に達していないときには現在の拡大段階を所定段階だけ大きく設定し、その設定した拡大段階で前記番組表を拡大する表示形態に変更し、現在の拡大段階が最大拡大段階に達しているときにはその最大拡大段階である旨のメッセージを表示する表示形態に変更する
ことを特徴とする請求項１０に記載の番組表示制御装置。
【請求項１２】
前記表示形態変更処理手段は、現在の拡大段階から次の拡大段階に拡大するときに、現在の拡大段階と次の拡大段階との間で複数のアニメーション表示を行うことによって、番組表示を順次拡大する
ことを特徴とする請求項１１に記載の番組表示制御装置。
【請求項１３】
所定の表示形態からなる番組表データを所定の記憶手段に記憶する第１のステップと、
前記記憶手段から読み出した番組表データの表示形態を表示形態変更指示に応じて変更する第２のステップと、
前記第２のステップによって変更された表示形態に基づいて番組表データを作成して所定の表示手段に出力する第３のステップと、
時間枠内の番組数と時間枠内の表示行数を比較する第４のステップと
を有し、
前記第２のステップは、
前記第４のステップにおいて、時間枠内の番組数が時間枠内の表示行数より小さいと判断された場合、時間枠内の各番組の表示行数を時間比例に基づいて算出し、より時間比例の大きい番組順に表示行数を配分し、
前記第４のステップにおいて、時間枠内の番組数が時間枠内の表示行数と等しいと判断された場合、各番組に対して最小単位の表示行数を配分し、
前記第４のステップにおいて、時間枠内の番組数が時間枠内の表示行数より大きいと判断された場合、表示されない番組が存在することを示す識別子を表示するとともに、より時間比例の大きい番組順に最小単位で残りの表示行数を配分する
ことを特徴とする番組表示制御方法。
【請求項１４】
時間枠内の番組数と時間枠内の最大表示行数を比較する第５のステップをさらに有し、
前記第２のステップは、時間枠内の番組数が時間枠内の最大表示行数より大きい場合、表示されない番組が存在することを示す識別子を表示する
ことを特徴とする請求項１３に記載の番組表示制御方法。
【請求項１５】
前記第２のステップは、複数の受信チャンネルにおいてイベント共有番組がある場合には、その複数の受信チャンネルの番組表示にまたがってイベント共有番組を表示する表示形態に変更する
ことを特徴とする請求項１３に記載の番組表示制御方法。
【請求項１６】
前記第２のステップは、複数の受信チャンネルにおいてイベント共有番組の時間枠内で時間枠が互いに重複していない場合には、その複数の受信チャンネルの番組表示にまたがってそのイベント共有番組を最小単位の表示行数で表示する表示形態に変更する
ことを特徴とする請求項１５に記載の番組表示制御方法。
【請求項１７】
前記第２のステップは、番組のジャンルを識別する複数種類のジャンル情報に対して表示形態変更指示に応じて優先順位を指定し、ある番組に属しているジャンル情報が複数種類含まれる場合には、指定した優先順位に従ってその番組に対応する１つの種類のジャンル情報を選択し、優先順位に基づいてジャンルが表示される表示形態に変更する
ことを特徴とする請求項１３に記載の番組表示制御方法。
【請求項１８】
前記第２のステップは、前記表示形態変更指示によるジャンル情報および背景表示形態に応じて優先順位を指定し、その優先順位に基づいてジャンル情報および背景表示形態が表示される表示形態に変更する
ことを特徴とする請求項１３に記載の番組表示制御方法。
【請求項１９】
前記第１のステップは、前記記憶手段の第１の記憶手段に第１の番組表データを記憶する第５のステップおよび前記記憶手段の第２の記憶手段に第１の番組表データとはデータ構成の異なる第２の番組表データを記憶する第６のステップを有し、
前記第２のステップは、前記第１の記憶手段および前記第２の記憶手段にそれぞれ記憶された前記第１の番組表データおよび前記第２の番組表データを同一の画面に同時に表示する表示形態に変更する
ことを特徴とする請求項１３に記載の番組表示制御方法。
【請求項２０】
前記第１のステップは、衛星放送の番組表データを第１の記憶手段に記憶し、地上波放送および／またはＷＥＢ上の番組表データを第２の記憶手段に記憶し、
前記第２のステップは、前記第１および第２の記憶手段にそれぞれ記憶された衛星放送並びに地上波放送および／またはＷＥＢ上の番組表データを同一の画面に同時に表示する表示形態に変更する
ことを特徴とする請求項１３に記載の番組表示制御方法。
【請求項２１】
前記第２のステップは、衛星放送並びに地上波放送および／またはＷＥＢ上の番組同士が同一のジャンルでかつそれぞれが異なるジャンル表示形態である場合には同一のジャンル表示形態に変更する
ことを特徴とする請求項２０に記載の番組表示制御方法。
【請求項２２】
前記第２のステップは、表示中の番組表において任意の番組に対して拡大指示が行われた場合には、その番組の番組表示を拡大する表示形態に変更する
ことを特徴とする請求項１３に記載の番組表示制御方法。
【請求項２３】
前記第２のステップは、前記拡大指示が行われた場合には、現在の拡大段階が最大拡大段階に達していないときには現在の拡大段階を所定段階だけ大きく設定し、その設定した拡大段階で前記番組表を拡大する表示形態に変更し、現在の拡大段階が最大拡大段階に達しているときにはその最大拡大段階である旨のメッセージを表示する表示形態に変更する
ことを特徴とする請求項２２に記載の番組表示制御方法。
【請求項２４】
前記第２のステップは、番組表を現在の拡大段階から次の拡大段階に拡大するときに、現在の拡大段階と次の拡大段階との間で複数のアニメーション表示を行うことによって、番組表示を順次拡大する
ことを特徴とする請求項２３に記載の番組表示制御方法。
【手続補正２】
【補正対象書類名】明細書
【補正対象項目名】０００９
【補正方法】変更
【補正の内容】
【０００９】
また、地上波放送の送信形態では、番組ごとに１つのジャンルの情報しか付加することができないので、ＢＳディジタル放送におけるＥＰＧ情報のデータ構成とＢＳディジタル放送におけるＥＰＧ情報のデータ構成とは異なっている。このため、地上波放送とＢＳディジタル放送の番組のジャンルが同じであっても、同一の表示形態で表示することができなかった。
【手続補正３】
【補正対象書類名】明細書
【補正対象項目名】００１１
【補正方法】変更
【補正の内容】
【００１１】
【課題を解決するための手段】
上記の目的を達成するために、本発明における番組表示制御装置は、所定の表示形態からなる番組表データを記憶する記憶手段と、前記記憶手段から読み出した番組表データの表示形態を表示形態変更指示に応じて変更する表示形態変更処理手段と、前記表示形態変更処理手段によって変更された表示形態に基づいて番組表データを作成して所定の表示手段に出力する番組表作成手段と、時間枠内の番組数と時間枠内の表示行数を比較する第１の表示数比較手段とを有し、前記表示形態変更処理手段は、前記第１の表示数比較手段により、時間枠内の番組数が時間枠内の表示行数より小さいと判断された場合、時間枠内の各番組の表示行数を時間比例に基づいて算出し、より時間比例の大きい番組順に表示行数を配分し、前記第１の表示数比較手段により、時間枠内の番組数が時間枠内の表示行数と等しいと判断された場合、各番組に対して最小単位の表示行数を配分し、前記第１の表示数比較手段により、時間枠内の番組数が時間枠内の表示行数より大きいと判断された場合、表示されない番組が存在することを示す識別子を表示するとともに、より時間比例の大きい番組順に最小単位で残りの表示行数を配分することを特徴とする。
【手続補正４】
【補正対象書類名】明細書
【補正対象項目名】００１２
【補正方法】変更
【補正の内容】
【００１２】
また、本発明における番組表示制御装置においては、時間枠内の番組数と時間枠内の最大表示行数を比較する第２の表示数比較手段をさらに有し、前記表示形態変更処理手段は、時間枠内の番組数が時間枠内の最大表示行数より大きい場合、表示されない番組が存在することを示す識別子を表示することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１７
【補正方法】変更
【補正の内容】
【００１７】
また、本発明における番組表示制御装置の前記表示形態変更処理手段は、前記表示形態変更指示によるジャンル情報および背景表示形態に応じて優先順位を指定し、その優先順位に基づいてジャンル情報および背景表示形態が表示される表示形態に変更することを特徴とする。
さらに、本発明における番組表示制御装置の前記記憶手段は、第１の番組表データを記憶する第１の記憶手段および第１の番組表データとはデータ構成の異なる第２の番組表データを記憶する第２の記憶手段を有し、前記表示形態変更処理手段は、前記第１の記憶手段および前記第２の記憶手段にそれぞれ記憶された前記第１の番組表データおよび前記第２の番組表データを同一の画面に同時に表示する表示形態に変更することを特徴とする。
【手続補正７】
【補正対象書類名】明細書
【補正対象項目名】００２３
【補正方法】変更
【補正の内容】
【００２３】
また、本発明における番組表示制御方法は、所定の表示形態からなる番組表データを所定の記憶手段に記憶する第１のステップと、前記記憶手段から読み出した番組表データの表示形態を表示形態変更指示に応じて変更する第２のステップと、前記第２のステップによって変更された表示形態に基づいて番組表データを作成して所定の表示手段に出力する第３のステップと、時間枠内の番組数と時間枠内の表示行数を比較する第４のステップとを有し、前記第２のステップは、前記第４のステップにおいて、時間枠内の番組数が時間枠内の表示行数より小さいと判断された場合、時間枠内の各番組の表示行数を時間比例に基づいて算出し、より時間比例の大きい番組順に表示行数を配分し、前記第４のステップにおいて、時間枠内の番組数が時間枠内の表示行数と等しいと判断された場合、各番組に対して最小単位の表示行数を配分し、前記第４のステップにおいて、時間枠内の番組数が時間枠内の表示行数より大きいと判断された場合、表示されない番組が存在することを示す識別子を表示するとともに、より時間比例の大きい番組順に最小単位で残りの表示行数を配分することを特徴とする。
【手続補正８】
【補正対象書類名】明細書
【補正対象項目名】００２４
【補正方法】変更
【補正の内容】
【００２４】
また、本発明における番組表示制御方法においては、時間枠内の番組数と時間枠内の最大表示行数を比較する第５のステップをさらに有し、前記第２のステップは、時間枠内の番組数が時間枠内の最大表示行数より大きい場合、表示されない番組が存在することを示す識別子を表示することを特徴とする。
【手続補正９】
【補正対象書類名】明細書
【補正対象項目名】００２５
【補正方法】削除
【補正の内容】
【手続補正１０】
【補正対象書類名】明細書
【補正対象項目名】００２９
【補正方法】変更
【補正の内容】
【００２９】
また、本発明における番組表示制御方法の前記第２ステップは、前記表示形態変更指示によるジャンル情報および背景表示形態に応じて優先順位を指定し、その優先順位に基づいてジャンル情報および背景表示形態が表示される表示形態に変更することを特徴とする。
さらに、本発明における番組制御方法の前記第１のステップは、前記記憶手段の第１の記憶手段に第１の番組表データを記憶する第５のステップおよび前記記憶手段の第２の記憶手段に第１の番組表データとはデータ構成の異なる第２の番組表データを記憶する第６のステップを有し、前記第２のステップは、前記第１の記憶手段および前記第２の記憶手段にそれぞれ記憶された前記第１の番組表データおよび前記第２の番組表データを同一の画面に同時に表示する表示形態に変更することを特徴とする。
【手続補正１１】
【補正対象書類名】明細書
【補正対象項目名】００６４
【補正方法】変更
【補正の内容】
【００６４】
図８（１）の場合には、２つのチャンネル１４１，１４２で番組Ａおよび番組Ｂをイベント共有番組とし、かつ、各チャンネルにおいて最大表示行数６以上の番組数がないので、ステップＳ２１、ステップＳ２２を経てステップＳ２３で各チャンネルに対する番組枠を計算する。また、番組Ａおよび番組Ｂはともに時間枠が重なっているので、ステップＳ２４からステップＳ２５に移行して、計算パターンαにて各番組枠を計算する。すなわち、イベント共有番組の重なっている時間枠の番組枠で結合し、残りの番組については図２の番組表示制御の方法におけるステップＳ１０以降の処理で番組枠の大きさを計算する。したがって、図８（２）に示すように、番組Ａおよび番組Ｂが２つのチャンネルにまたがった表示形態の番組表となる。
【手続補正１２】
【補正対象書類名】明細書
【補正対象項目名】００６６
【補正方法】変更
【補正の内容】
【００６６】
図１０（１）の場合には、２つのチャンネル１４１，１４２で番組Ａをイベント共有番組としているが、各チャンネルの最大表示行数６以上の番組数７がある。なお、この場合には、チャンネル１４１のイベント共有番組Ａおよび他の番組Ｆ、チャンネル１４２の番組Ｉおよび番組Ｋは、番組に関する情報が表示されていない。この場合には、ステップＳ２２からステップＳ２６に移行して、パターンβにて各番組枠を計算する。すなわち、イベント共有番組Ａは１行表示とし、残りの番組は図２の番組表示制御の方法におけるステップＳ１０以降の処理で番組枠を計算する。したがって、図１０（２）に示すように、チャンネル１４１の番組Ｅ，Ｆと、チャンネル１４２の番組Ｋ，Ｐについては、それぞれ調整用の「番組丸め込み」マークに丸め込む。
【手続補正１３】
【補正対象書類名】明細書
【補正対象項目名】００７３
【補正方法】変更
【補正の内容】
【００７３】
ステップＳ３３において、ユーザのリモコン操作によってジャンルおよび背景色が指定されたか否かを判別し、これらが指定されたときは、ユーザ優先順位メモリ１２のレジスタＰ（ｎ，ｊ，ｋ）に、指定ジャンル番号をｊとし、指定背景色番号をｋとする優先ジャンル情報をストアする（ステップＳ３４）。次に、ｎの値をインクリメントして（ステップＳ３５）、ｎの値がジャンル優先順位の最大数ｎmax（この実施の形態においては、たとえば４）の値より大きいか否かを判別する（ステップＳ３６）。ｎの値がｎmaxの値以下である場合には、ステップＳ３３に移行して、次のジャンルおよび背景色が指定されたか否かを判別する。ｎの値がｎmaxの値よりも大きくなったときは、このフローを終了する。指定された優先ジャンル情報は、図１５（１）に示すような形態で、モニタの一部に、例えば、図１５（２）に示すように、画面の下側に、優先順位に従った順序で表示される。
【手続補正１４】
【補正対象書類名】明細書
【補正対象項目名】０１０７
【補正方法】変更
【補正の内容】
【０１０７】
図３０のステップＳ６６１において、拡大段階Ｓから対応するＮ１，Ｎ２，Ｔ１，Ｔ２を求める。次に、ステップＳ６６２において、図３１に示される拡大前領域（ｔ１，ｎ１）の基準位置Ｚ（ａ，ｂ）を求める。このときの基準位置Ｏ（０，０）は拡大後の領域（ｔ２，ｎ２）の基準点とする。次に、ステップＳ６６３において、拡大後の領域（ｔ２，ｎ２）を計算する。次に、ステップＳ６６４において、拡大前領域と拡大後領域との差分（Ｘ１，Ｘ２、Ｘ３、Ｘ４）を計算する。ここで、Ｘ１は拡大前領域（ｔ１，ｎ１）の上部から拡大後の領域（ｔ２，ｎ２）の上部までの距離である。Ｘ２は拡大前領域（ｔ１，ｎ１）の下部から拡大後の領域（ｔ２，ｎ２）の下部までの距離である。Ｘ３は拡大前領域（ｔ１，ｎ１）の右部から拡大後の領域（ｔ２，ｎ２）の右部までの距離である。Ｘ４は拡大前領域（ｔ１，ｎ１）の左部から拡大後の領域（ｔ２，ｎ２）の左部までの距離である。Ｘ１，Ｘ２、Ｘ３、Ｘ４は以下のように計算される。